(57)【要約】【課題】がた付きが発生するのを防止した上で、シャッターの組み付け時における作業性を改善する。【解決手段】バネ収容部６７にバネ部材８０を収容した状態で、カバー６０にシャッター５０を組み付け、この組付位置からシャッター５０を開放位置に向けて回転させる。これにより、バネ係合部５８がバネ部材８０を押圧してこのバネ部材８０に付勢力が蓄勢される。さらに、シャッター５０を開放位置にまで至らない範囲で回転させると、回転規制部５６が回転規制受け部６６を係止して、シャッター５０がバネ部材８０による付勢力を利かせた状態でカバー６０に保持される。したがって、シャッター５０ががた付くのが抑えられる。【選択図】図２
2010267489.tif 000002
【特許請求の範囲】
【請求項１】
相手ハウジングと嵌合可能で、かつ相手端子との接続部を有する端子金具を収容可能なハウジングと、
前記ハウジングの嵌合面を覆うように配置され、前記接続部の先方を閉じる閉止位置と、前記接続部の先方を開く開放位置とに、前記ハウジングの軸線周りに回転可能なシャッターと、
前記ハウジング及びこれとは別の部材のいずれか一方からなる係合部材と、前記シャッターとの間に配置され、常には前記シャッターを前記閉止位置に付勢するバネ部材とを備え、
前記ハウジングと相手ハウジングとが嵌合される前は、前記シャッターが前記閉止位置に保たれ、前記ハウジングと相手ハウジングとが嵌合された状態では、前記シャッターが前記開放位置に保たれて前記端子金具と前記相手端子とが電気的に接続されるコネクタであって、
前記シャッター及び前記係合部材のいずれか一方には、バネ収容部が形成され、前記シャッターには、バネ係合部及び回転規制部が形成され、前記係合部材には、回転規制受け部が形成されており、
前記バネ収容部に前記バネ部材を収容した状態で、前記係合部材に前記シャッターを組み付け、かつこの組付位置から前記シャッターを前記開放位置に向けて回転させることにより、前記バネ係合部が前記バネ部材を押圧してこのバネ部材に付勢力が蓄勢され、さらに前記シャッターを前記開放位置にまで至らない範囲で回転させることにより、前記回転規制部が前記回転規制受け部を係止して、前記シャッターが前記バネ部材による付勢力を利かせた状態で前記係合部材に保持される保持位置に至ることを特徴とするコネクタ。
【請求項２】
前記組付位置では、前記バネ部材が自然状態に保たれていることを特徴とする請求項１記載のコネクタ。
【請求項３】
前記バネ収容部には、前記組付位置で、前記バネ係合部が入り込む逃がし部が形成されていることを特徴とする請求項１又は２記載のコネクタ。
【発明の詳細な説明】
【技術分野】
【０００１】
本発明は、コネクタに関する。
【背景技術】
【０００２】
特許文献１に記載のコネクタは、端子金具を収容可能なハウジングと、ハウジングの前面に配置されるシャッターと、ハウジングの前面とシャッターの後面との間に配置されるバネ部材とを備えている。ハウジングは、相手ハウジングと嵌合可能とされ、嵌合に伴って端子金具の接続部が相手ハウジングに装着された相手端子と接続可能とされている。シャッターは、ハウジングの軸線周りに回転可能とされ、回転に伴って接続部の前方を閉じる閉止位置と接続部の前方を開く開放位置とに変位可能とされている。バネ部材は、コイルバネであって、シャッターとの係合によって常にはシャッターを閉止位置に向けて付勢している。
【０００３】
このシャッターは、相手ハウジングとの嵌合前は閉止位置に留め置かれ、端子金具の接続部に粉塵等の異物が付着するのが防止されている。また、このシャッターは、相手ハウジングとの嵌合に伴って閉止位置から開放位置に向けて自動的に変位させられ、相手ハウジングとの正規嵌合時には開放位置に至ることによって端子金具と相手端子との接続を許容する。
【先行技術文献】
【特許文献】
【０００４】
【特許文献１】特開平８−１５３５５１号公報
【発明の概要】
【発明が解決しようとする課題】
【０００５】
ところで、上記においては、シャッターの組み付けに際し、バネ部材を手で支えながら、このバネ部材をシャッターとハウジングとの間に軸線方向に弾縮させつつ挟み込むようにしている。こうすると、シャッターとハウジングとにバネ部材からのバネ荷重が付与されるため、組み付け後、シャッターとハウジングとの間にがた付きが発生するのが抑えられる。しかし一方で、このような構成では、バネ荷重をかけた状態で組み付け作業を行わなければならないため、組み付け難く、作業性が悪いという問題がある。
【０００６】
本発明は上記のような事情に基づいて完成されたものであって、がた付きが発生するのを防止した上で、シャッターの組み付け時における作業性を改善することを目的とする。
【課題を解決するための手段】
【０００７】
上記の目的を達成するための手段として、請求項１の発明は、相手ハウジングと嵌合可能で、かつ相手端子との接続部を有する端子金具を収容可能なハウジングと、前記ハウジングの嵌合面を覆うように配置され、前記接続部の先方を閉じる閉止位置と、前記接続部の先方を開く開放位置とに、前記ハウジングの軸線周りに回転可能なシャッターと、前記ハウジング及びこれとは別の部材のいずれか一方からなる係合部材と、前記シャッターとの間に配置され、常には前記シャッターを前記閉止位置に付勢するバネ部材とを備え、前記ハウジングと相手ハウジングとが嵌合される前は、前記シャッターが前記閉止位置に保たれ、前記ハウジングと相手ハウジングとが嵌合された状態では、前記シャッターが前記開放位置に保たれて前記端子金具と前記相手端子とが電気的に接続されるコネクタであって、前記シャッター及び前記係合部材のいずれか一方には、バネ収容部が形成され、前記シャッターには、バネ係合部及び回転規制部が形成され、前記係合部材には、回転規制受け部が形成されており、前記バネ収容部に前記バネ部材を収容した状態で、前記係合部材に前記シャッターを組み付け、かつこの組付位置から前記シャッターを前記開放位置に向けて回転させることにより、前記バネ係合部が前記バネ部材を押圧してこのバネ部材に付勢力が蓄勢され、さらに前記シャッターを前記開放位置にまで至らない範囲で回転させることにより、前記回転規制部が前記回転規制受け部を係止して、前記シャッターが前記バネ部材による付勢力を利かせた状態で前記係合部材に保持される保持位置に至るところに特徴を有する。
【０００８】
請求項２の発明は、請求項１に記載のものにおいて、前記組付位置では、前記バネ部材が自然状態に保たれているところに特徴を有する。
【０００９】
請求項３の発明は、請求項１又は２に記載のものにおいて、前記バネ収容部には、前記組付位置で、前記バネ係合部が入り込む逃がし部が形成されているところに特徴を有する。
【発明の効果】
【００１０】
＜請求項１の発明＞
係合部材にシャッターを組み付けたときに、バネ部材がバネ収容部に収容されているため、バネ部材を手で支えている必要がなく、またシャッターとバネ部材との干渉に起因する組み付け抵抗が大きく作用することもない。一方、シャッターを開放位置に向けて開放位置に至らない範囲で回転することにより、回転規制部が回転規制受け部を係止して、シャッターがバネ部材による付勢力を利かせた状態で係合部材に保持される保持位置に至るから、係合部材に対してシャッターががた付くのが抑えられる。
【００１１】
＜請求項２の発明＞
組付位置では、バネ部材が自然状態に保たれているから、シャッターとバネ部材との干渉に起因する組み付け抵抗を無くすことができ、作業負担が軽減される。
【００１２】
＜請求項３の発明＞
組付位置では、バネ収容部の逃がし部にバネ係合部が入り込むから、その後のシャッターの回転操作により、バネ係合部をバネ部材にスムーズに係合させることができる。
【図面の簡単な説明】
【００１３】
【図１】本発明の実施形態１に係るコネクタの断面図
【図２】シャッターが閉止位置にある状態のコネクタの正面図
【図３】シャッターが開放位置に向かう途中の状態のコネクタの正面図
【図４】シャッターが開放位置に至った状態のコネクタの正面図
【図５】（Ａ）組付位置におけるシャッターの正面図  （Ｂ）そのときのカバーの背面図
【図６】（Ａ）保持位置におけるシャッターの正面図  （Ｂ）そのときのカバーの背面図
【図７】（Ａ）開放位置に向かう途中位置におけるシャッターの正面図  （Ｂ）そのときのカバーの背面図
【図８】（Ａ）開放位置におけるシャッターの正面図  （Ｂ）そのときのカバーの背面図
【図９】突部、カバー、及びシャッターの分解側面図
【図１０】両ハウジングの嵌合前における突部及びシャッターの斜視図
【図１１】両ハウジングの嵌合途中における突部及びシャッターの斜視図
【図１２】両ハウジングの嵌合後における突部及びシャッターの斜視図
【図１３】ハウジングの正面図
【図１４】（Ａ）シャッターが組付位置にあるときのバネ収容部の拡大図  （Ｂ）そのときの回転規制部及び回転規制受け部の拡大図
【図１５】（Ａ）シャッターが保持位置にあるときのバネ収容部の拡大図  （Ｂ）そのときの回転規制部及び回転規制受け部の拡大図
【発明を実施するための形態】
【００１４】
＜実施形態１＞
本発明の実施形態１を図１ないし図１５によって説明する。本実施形態に係るコネクタ１０は、電気自動車の充電コネクタを例示するものであって、図示しない相手ハウジングと嵌合可能な合成樹脂製のハウジング２０を備えている。なお、以下の説明において前後方向については、相手ハウジングとの嵌合面側を前方とする。
【００１５】
ハウジング２０は略円柱状をなし、図１及び図１３に示すように、その後方からケーシング３０が被せ付けられる。ケーシング３０の後端部には、相手ハウジングとの嵌合時に手で握られる取手部３１が付設されている。ハウジング２０の上面には、ケーシング３０との間に、前後方向に細長く延びる別体のロック部２１が形成されている。ロック部２１は、長さ方向の途中に支点部２２を有し、支点部２２を中心としてシーソ状に揺動変位可能とされ、かつその揺動変位に基づいて相手ハウジングを嵌合状態に保持可能とされている。
【００１６】
ハウジング２０の内部には、端子金具４０Ａ、４０Ｂを収容可能なキャビティ２３Ａ、２３Ｂが形成されている。端子金具４０Ａ、４０Ｂは、電力供給用の太い電源端子４０Ａと、信号伝達用の細い信号端子４０Ｂとからなり、いずれも電線１００の端末に接続されている。キャビティ２３Ａ、２３Ｂは、径方向外側に位置して電源端子４０Ａを挿入可能な大径の大キャビティ２３Ａと、径方向内側に位置して信号端子４０Ｂを挿入可能な小径の小キャビティ２３Ｂとからなる。大キャビティ２３Ａは、周方向に等間隔を開けて４室配置され、小キャビティ２３Ｂは、周方向に等間隔を開けかつ内外に分かれて８室配置されている。ハウジング２０の前面の中心部には、相手ハウジングの前面に突成された突部９０を挿入可能な挿入孔２４が形成されている。この挿入孔２４はハウジング２０の前面から内部に向けて軸線方向に沿って細長く延びる有底孔とされている。
【００１７】
ハウジング２０の前面には、この前面を覆うようにして合成樹脂製のシャッター５０が取り付けられている。シャッター５０は、図９及び図１０に示すように、円板状のシャッター本体５１を有し、シャッター本体５１には、各キャビティ２３Ａ、２３Ｂと対応する位置毎に、端子金具４０Ａ、４０Ｂが貫通可能な端子貫通孔５２Ａ、５２Ｂが形成されている。端子貫通孔５２Ａ、５２Ｂは、径方向外側に位置して大キャビティ２３Ａと対応する大端子貫通孔５２Ａと、径方向内側に位置して小キャビティ２３Ｂと対応する小端子貫通孔５２Ｂとからなる。大端子貫通孔５２Ａの外端はシャッター本体５１の外周縁に開口するように切り欠かれている。
【００１８】
また、シャッター本体５１には円筒状の筒部５３が前方へ突出して形成され、筒部５３内には、突部９０と係合可能な係合孔５４が軸線方向（図９の一点鎖線に沿う方向）に貫通して形成されている。係合孔５４は、正面視略半月状をなし、突部９０の先端部に形成された螺旋カム面９１と摺接可能とされるフラットな係合縁部５５を有している。かかるシャッター５０は、係合孔５４を中心として開放位置と閉止位置とに回転可能とされ、開放位置では、端子貫通孔５２Ａ、５２Ｂがキャビティ２３Ａ、２３Ｂと整合状態で連通してキャビティ２３Ａ、２３Ｂの前面前方が開放され、閉止位置では、端子金具４０Ａ、４０Ｂがキャビティ２３Ａ、２３Ｂと非連通とされてキャビティ２３Ａ、２３Ｂの前面前方が閉止されるようになっている。
【００１９】
シャッター本体５１の外周縁には、後述する回転規制受け部６６を係止可能な回転規制部５６が形成されている。回転規制部５６は、ほぼ周方向に沿って突出する片持ち状をなし、径方向に撓み変形可能とされている。また、シャッター本体５１の外周縁には、回転規制部５６と間隔を開けた位置に、台状のストッパ５７が形成されている。ストッパ５７は、シャッター５０が開放位置を超えて回転するのを規制する役割をはたす。
【００２０】
シャッター５０の前面には合成樹脂製のカバー６０が被せ付けられ、シャッター５０の前面とカバー６０の後面との間にはバネ部材８０が介挿されている（図１を参照）。シャッター５０の前面にはバネ部材８０と係合可能なバネ係合部５８が後方へ突出して形成されている。バネ係合部５８は、小径の円柱状をなし、その突出先端部にはフランジ部５９が張り出して形成されている。
【００２１】
バネ部材８０は、トーションバネであって、図１４（Ａ）に示すように、中心部に位置してコイル状に多重巻きされた軸受け部８１と、軸受け部８１の両端から径方向外向きに突出する第１、第２線状部８２、８３とを備えている。第１、第２線状部８２、８３の開き角度は、自然状態では概ね９０度とされ、シャッター５０の回転に伴ってこれを減ずる向きに角変位されるようになっている。第１、第２線状部８２、８３の突出先端部には、引掛縁部８４が外向きに折り曲げ形成されている。引掛縁部８４の内側には、バネ係合部５８が引掛状態で係合可能とされている。かかるバネ部材８０は、略線対称の形状をなし、前後両面の構造識別性が必要とされないことにより、前後の反転使用が可能とされている。
【００２２】
カバー６０は、図２及び図９に示すように、円板状のカバー本体６１を有し、カバー本体６１はその外径がシャッター本体５１の外径よりも大きく、かつその板厚がシャッター本体５１の板厚よりも大きくされている。カバー本体６１には、各キャビティ２３Ａ、２３Ｂ及び各端子貫通孔５２Ａ、５２Ｂと対応する位置毎に、端子挿通孔６２Ａ、６２Ｂが形成されている。端子挿通孔６２Ａ、６２Ｂは、径方向外側にて大キャビティ２３Ａ及び大端子貫通孔５２Ａと対応する大端子挿通孔６２Ａと、径方向内側にて小キャビティ２３Ｂ及び小端子貫通孔５２Ｂと対応する小端子挿通孔６２Ｂとからなる。なお、端子挿通孔６２Ａ、６２Ｂが端子貫通孔５２Ａ、５２Ｂと整合状態で連通する領域は開放位置に相当し、端子挿通孔６２Ａ、６２Ｂが端子貫通孔５２Ａ、５２Ｂと非連通とされる領域は閉止位置に相当している。
【００２３】
カバー本体６１の中心部には、筒部５３を受容可能な受け孔６３が貫通して形成されている。シャッター５０の回転に伴って受け孔６３の内周面には筒部５３の外周面が摺接可能とされている。
【００２４】
シャッター５０の前面の外周縁部には、一対の係止爪６４が後方へ突出して形成されている。両係止爪６４は、シャッター５０の前面の径方向両端に配置され、その突出先端部には外向きに張り出す引掛片６５が形成されている。係止爪６４がハウジング２０に形成された図示しない係止受け部を弾性的に係止することにより、カバー６０がハウジング２０に保持され、かつシャッター５０がカバー６０及びハウジング２０に対して軸線周りの回転を許容された状態で保持されるようになっている。両係止爪６４のうちの一方の係止爪６４は、回転規制部５６と係止可能な回転規制受け部６６とされている。
【００２５】
カバー６０の後面における受け孔６３寄りの位置には、図１４（Ａ）に示すように、バネ部材８０を収容可能なバネ収容部６７が凹設されている。バネ収容部６７は、自然状態におけるバネ部材８０と対応する平面視略扇状をなし、その内部においてバネ部材８０の撓み動作が許容されている。
【００２６】
バネ収容部６７の底面における受け孔６３寄りの位置には、軸受け部８１を嵌着可能な円柱状の支軸部６８が突出して形成されている。また、バネ収容部６７の一側縁部には第１線状部８２を嵌着可能な保持溝６９が形成され、この保持溝６９はバネ収容部６７の一側縁とバネ収容部６７の内部に形成された掛止壁７１との間に細溝状に区画されている。
【００２７】
バネ収容部６７の他側縁部には、カバー６０にシャッター５０が組み付けられた状態で、バネ係合部５８が遊嵌状態で入り込む逃がし部７２が側方に膨出して形成されている。また、逃がし部７２には、バネ部材８０の引掛縁部８４が進入可能とされている。
【００２８】
次に、本実施形態に係るコネクタ１０の組み付け手順及び作用を説明する。  
まず、カバー６０のバネ収容部６７にバネ部材８０を挿入し、第１線状部８２を保持溝６９に嵌め込むとともに、軸受け部８１を支軸部６８を嵌め込み、バネ部材８０における第１線状部８２側の一辺部をバネ収容部６７に遊動規制状態で固定する。このとき、バネ部材８０は自然状態に保たれ、第２線状部８３はバネ収容部６７の他側縁部に沿って配置されている。
【００２９】
続いて、カバー６０にその後方からシャッター５０を被せる。すると、筒部５３が受け孔６３に挿入されるとともに、バネ係合部５８が逃がし部７２に挿入され、図５及び図１４に示すように、カバー６０に対してシャッター５０が組付位置に配置される。このとき、バネ係合部５８はバネ部材８０とは非接触状態に保たれ、シャッター５０とカバー６０との間に過大な組み付け抵抗が発生することはない。なお、かかる組付位置は閉止位置の範囲に含まれ、したがって、端子貫通孔５２Ａ、５２Ｂと端子挿通孔６２Ａ、６２Ｂ及びキャビティ２３Ａ、２３Ｂとは非連通とされ、キャビティ２３Ａ、２３Ｂの前面前方はシャッター５０の壁面によって閉止されている。
【００３０】
次いで、カバー６０に対してシャッター５０を筒部５３を中心として軸線周りに開放位置へ向けて少し回転させる。すると、図６及び図１５に示すように、バネ係合部５８が第２線状部８３を押動して、第２線状部８３が軸受け部８１を支点として付勢力を蓄勢させながら第１線状部８２側へ角変位する。その状態で、シャッター５０が開放位置に至るまでの間に、回転規制部５６が回転規制受け部６６を弾性的に乗り越えて、回転規制部５６が回転規制受け部６６を弾性的に係止する。このとき、バネ部材８０の付勢力によってシャッター５０が組付位置側へ戻り変位しようとすることによって回転規制部５６が回転規制受け部６６を強固に押圧し、回転規制部５６と回転規制受け部６６との両対向面に大きな摩擦力が作用する。このため、シャッター５０がカバー６０に対して周方向に遊動するのが防止される。また、バネ係合部５８のフランジ部５９がバネ部材８０とシャッター５０の抜け方向で係合することにより、シャッター５０のカバー６０からの抜け出しが規制される。このシャッター５０のカバー６０からの抜け出しは、回転規制部５６と回転規制受け部６６との両対向面にバネ部材８０による付勢力が利いていることによっても規制される。こうして回転規制部５６が回転規制受け部６６を係止する位置は保持位置とされ、この保持位置は閉止位置の範囲に含まれる。
【００３１】
上記により、カバー６０とシャッター５０とはバネ部材８０を挟んで一体ユニット化される。この状態で、カバー６０をハウジング２０の前面に被せると、係止爪６４が係止受け部を弾性的に係止して、カバー６０がシャッター５０及びバネ部材８０もろともハウジング２０に保持される。このとき、図２に示すように、シャッター５０は未だ閉止位置にあるため、端子貫通孔５２Ａ、５２Ｂは端子挿通孔６２Ａ、６２Ｂ及びキャビティ２３Ａ、２３Ｂのいずれとも非連通とされ、キャビティ２３Ａ、２３Ｂ内に粉塵等の異物が侵入するのが防止される。
【００３２】
続いて、上記により組み上げたコネクタ１０を相手コネクタとの嵌合作業現場に搬送し、そこで相手ハウジングにハウジング２０を嵌合させる。すると、図１０から図１２にかけて示すように、相手ハウジングに形成された突部９０の先端部が係合孔５４から挿入孔２４に挿入される。図１１に示すように、突部９０の先端部が係合孔５４を通過する際には、突部９０の螺旋カム面９１に沿って係合孔５４の係合縁部５５が摺動し、これに伴い、図３に示すように、シャッター５０が保持位置から開放位置へ向けて自動的に回転し始める。こうして螺旋カム面９１が係合孔５４を通過すると、図４に示すように、シャッター５０が開放位置に到達し、これによって端子貫通孔５２Ａ、５２Ｂが端子挿通孔６２Ａ、６２Ｂ及びキャビティ２３Ａ、２３Ｂのいずれとも整合して連通する。
【００３３】
さらに嵌合が進むと、相手ハウジングに装着された図示しない相手端子（雄端子金具）の先端部が端子挿通孔６２Ａ、６２Ｂ及び端子貫通孔５２Ａ、５２Ｂを順次経てキャビティ２３Ａ、２３Ｂ内に挿入される。相手ハウジングにハウジング２０が正規深さで嵌合されると、ロック部２１が相手ハウジングを嵌合状態に係止して両ハウジングの相互の離脱が規制されるとともに、端子金具４０Ａ、４０Ｂが相手端子金具と導通可能に正規接続される。なお、シャッター５０は保持位置から開放位置にかけて軸線周りに概ね４５度回転されるようになっている。
【００３４】
上記によって相手ハウジングにハウジング２０を嵌合させた状態では、図８に示すように、バネ部材８０によるバネ荷重がはたらいることから、シャッター５０ががた付くのが抑えられる。その後、メンテナンス時等において相手ハウジングからハウジング２０を引き離すと、突部９０が係合孔５４から抜けて係合孔５４との係合状態を解除することから、シャッター５０がバネ部材８０によって付勢されつつ閉止位置へ強制的に戻り変位する。
【００３５】
以上説明したように、本実施形態によれば、カバー６０にシャッター５０を組み付けたときに、バネ部材８０がバネ収容部６７に収容されているため、バネ部材８０を手で支えている必要がなく、またシャッター５０とバネ部材８０との干渉に起因する組み付け抵抗が過大になることもない。一方、シャッター５０を開放位置に向けて開放位置に至らない範囲で回転することにより、回転規制部５６が回転規制受け部６６を係止して、シャッター５０がバネ部材８０による付勢力を利かせた状態でカバー６０に保持されるから、カバー６０に対してシャッター５０ががた付くのが抑えられる。
【００３６】
また、組付位置では、バネ部材８０が自然状態に保たれているから、シャッター５０とバネ部材８０との干渉に起因する組み付け抵抗が実質的に無くなり、作業負担が軽減される。
【００３７】
さらに、組付位置では、バネ収容部６７の逃がし部７２にバネ係合部５８が入り込むから、その後のシャッター５０の回転操作により、バネ係合部５８をバネ部材８０にスムーズに係合させることができる。
【００３８】
＜他の実施形態＞
本発明は上記記述及び図面によって説明した実施形態に限定されるものではなく、例えば次のような実施形態も本発明の技術的範囲に含まれる。
（１）上記実施形態では、バネ収容部及び回転規制受け部がカバーに形成され、カバーが係合部材とされていたが、本発明によれば、バネ収容部及び回転規制受け部がハウジングに形成され、ハウジングが係合部材とされていて、シャッターの後面とハウジングの前面との間にバネ部材が配置される構成であってもよい。この場合、ハウジングに対してシャッターを回転可能に取り付ける手段が確保できれば、カバーを省略してもよい。
（２）上記実施形態では、バネ収容部はカバーに形成されていたが、本発明によれば、バネ収容部はシャッターに形成されていてもよい。
（３）上記実施形態では、バネ係合部にフランジ部が形成されていたが、本発明によれば、バネ係合部にフランジ部が無くても構わない。
（４）シャッターを閉止位置から開放位置に回転させる手段は上記に限らず、公知の手段を利用することができる。
【符号の説明】
【００３９】
１０…コネクタ
２０…ハウジング
４０Ａ、４０Ｂ…端子金具
５０…シャッター
５６…回転規制部
５８…バネ係合部
６０…カバー（係合部材）
６６…回転規制受け部
６７…バネ収容部
７２…逃がし部
８０…バネ部材  
【図１】
2010267489.tif 000003
【図２】
2010267489.tif 000004
【図３】
2010267489.tif 000005
【図４】
2010267489.tif 000006
【図５】
2010267489.tif 000007
【図６】
2010267489.tif 000008
【図７】
2010267489.tif 000009
【図８】
2010267489.tif 000010
【図９】
2010267489.tif 000011
【図１０】
2010267489.tif 000012
【図１１】
2010267489.tif 000013
【図１２】
2010267489.tif 000014
【図１３】
2010267489.tif 000015
【図１４】
2010267489.tif 000016
【図１５】
2010267489.tif 000017